(57)【要約】【課題】筐体を手で把持した状態でコンテンツ視聴を行う場合であっても、通信特性の劣化を防止可能な携帯無線機を提供する。【解決手段】本発明の携帯無線機は、ディスプレイ１４による表示領域１と、表示領域が形成された第１筐体１１の主表面としての表示面上に表示領域１を避けて形成され、アンテナ２０およびスピーカ２３の音孔を含むアンテナ形成領域２と、主表面上に、表示領域１とアンテナ形成領域２とを避けて形成された把持領域３とを備える。【選択図】図２
2010034629.tif 000002
【特許請求の範囲】
【請求項１】
表示領域と、
前記表示領域が形成された筐体の主表面上に前記表示領域を避けて形成され、アンテナおよびスピーカの音孔を含むアンテナ形成領域と、
前記主表面上に、前記表示領域と前記アンテナ形成領域とを避けて形成された把持領域と
を備える携帯無線機。
【請求項２】
操作領域と、
前記操作領域が形成された筐体の主表面上に前記操作領域を避けて形成され、アンテナおよびスピーカの音孔を含むアンテナ形成領域と、
前記主表面上に、前記操作領域と前記アンテナ形成領域とを避けて形成された把持領域と
を備える携帯無線機。
【請求項３】
請求項１または２に記載の携帯無線機であって、
前記アンテナ形成領域は所定のカバーで覆われた
携帯無線機。
【請求項４】
請求項３に記載の携帯無線機であって、
前記所定のカバーは、網状の形状を有する
携帯無線機。
【請求項５】
請求項３に記載の携帯無線機であって、
前記所定のカバーは、導電性を有し、
前記筐体内に配置された回路基板と前記所定のカバーとの間に絶縁部材を備える
携帯無線機。
【請求項６】
請求項１または２に記載の携帯無線機であって、
前記主表面上の前記アンテナ形成領域において、前記スピーカの音孔が配置されたスピーカ配置領域に前記アンテナが配置されたアンテナ配置領域が含まれ、
前記アンテナは、スピーカよりも前記筐体の厚み方向内側に配置された
携帯無線機。
【請求項７】
請求項１または２に記載の携帯無線機であって、
前記アンテナ形成領域は、視覚的または触覚的に判別可能であり、
前記アンテナ形成領域に含まれるアンテナは、前記筐体の主表面側の外部に露出しており、前記スピーカの音孔に対向して配置され、
前記スピーカは、アンテナよりも前記筐体の厚み方向内側に配置された
携帯無線機。
【請求項８】
請求項１ないし７のいずれか１項に記載の携帯無線機であって、
前記アンテナ形成領域は、前記主表面における端部に配置された
携帯無線機。
【発明の詳細な説明】
【技術分野】
【０００１】
本発明は、携帯無線機に関する。
【背景技術】
【０００２】
携帯電話等の携帯無線機が他の携帯電話等の外部機器と通信を行う際には、所望の通信特性を確保することが必要である。しかし、例えば携帯無線機の筐体を手に把持する際には、アンテナ周辺を手で覆ってしまうことがあり、この場合には通信特性が劣化してしまうことがある。
【０００３】
通信特性の劣化を防止可能な従来の携帯無線機の一例として、筐体の両端部にそれぞれ送話器、受話器を設けると共に、送話器や受話器を設けた筐体の表面とは逆の背面であって、受話器に対向する部分またはこれよりも送話器側に、筐体を把持する手の指先を沿えるための凸部を設けた携帯無線機が知られている（例えば、特許文献１参照）。上記の凸部は、表示部や操作キーが設けられている表面とは逆の背面に設けられている。この携帯無線機により、安定した状態で筐体を保持することができ、キー操作性が向上する。
【０００４】
【特許文献１】特開２００２−３６８８５３号公報
【発明の開示】
【発明が解決しようとする課題】
【０００５】
ところで、近年の携帯無線機では、携帯無線機が備えるアンテナを用いてワンセグ放送等のデジタルテレビ放送（ＤＴＶ）の放送波やコンテンツを受信し、携帯無線機が備える表示部に表示させ、視聴を行うことが可能になっている。
【０００６】
デジタルテレビ放送を視聴する際には、特許文献１の携帯無線機の凸部を備えていても、この凸部を把持するだけでは安定した状態で視聴することができず、表示部が備えられた面を把持することがある。このように表示部側を把持する場合には、アンテナ周辺を手で覆ってしまう可能性がある。
【０００７】
本発明は、上記従来の事情に鑑みてなされたものであって、筐体を手で把持した状態でコンテンツ視聴を行う場合であっても、通信特性の劣化を防止可能な携帯無線機を提供することを目的としている。
【課題を解決するための手段】
【０００８】
本発明の携帯無線機は、表示領域と、前記表示領域が形成された筐体の主表面上に前記表示領域を避けて形成され、アンテナおよびスピーカの音孔を含むアンテナ形成領域と、前記主表面上に、前記表示領域と前記アンテナ形成領域とを避けて形成された把持領域とを備える。
【０００９】
この構成により、筐体を手で把持し、表示部の表示領域を有する筐体の一部を手で覆った際には、自然に把持領域を把持することとなるので、この状態でコンテンツ視聴を行う場合であっても、通信特性の劣化を防止可能である。また、表示領域を手で覆うこともなく、良好な視認性を確保できる。
【００１０】
また、本発明の携帯無線機は、操作領域と、前記操作領域が形成された筐体の主表面上に前記操作領域を避けて形成され、アンテナおよびスピーカの音孔を含むアンテナ形成領域と、前記主表面上に、前記操作領域と前記アンテナ形成領域とを避けて形成された把持領域とを備える。
【００１１】
この構成により、筐体を手で把持し、操作キー等の操作部を有する筐体の一部を手で覆った際には、自然に把持領域を把持することとなるので、この状態でコンテンツ視聴を行う場合であっても、通信特性の劣化を防止可能である。また、操作領域を手で覆うこともなく、良好なキー入力等の操作性を確保できる。
【００１２】
また、本発明の携帯無線機は、前記アンテナ形成領域が所定のカバーで覆われている。
【００１３】
この構成により、アンテナの近傍が手や指で覆われなくなり、良好な通信特性を確保することができる。
【００１４】
また、本発明の携帯無線機は、前記所定のカバーが、網状の形状を有する。
【００１５】
この構成により、スピーカから出力される音声の品質を向上させることができる。
【００１６】
また、本発明の携帯無線機は、前記所定のカバーが、導電性を有し、前記筐体内に配置された回路基板と前記所定のカバーとの間に絶縁部材を備える。
【００１７】
この構成により、アンテナと導電性カバーとの間を電気的に絶縁することで、アンテナから導電性カバーへの信号の流出を防止し、所望の通信特性を確保することが可能となる。
【００１８】
また、本発明の携帯無線機は、前記主表面上の前記アンテナ形成領域において、前記スピーカの音孔が配置されたスピーカ配置領域に前記アンテナが配置されたアンテナ配置領域が含まれ、前記アンテナが、スピーカよりも前記筐体の厚み方向内側に配置されている。
【００１９】
この構成により、スピーカの周辺を手で覆わないことで、アンテナの近傍が手で覆われなくなり、良好な通信特性を確保することができる。
【００２０】
また、本発明の携帯無線機は、前記アンテナ形成領域が、視覚的または触覚的に判別可能であり、前記アンテナ形成領域に含まれるアンテナが、前記筐体の主表面側の外部に露出しており、前記スピーカの音孔に対向して配置され、前記スピーカが、アンテナよりも前記筐体の厚み方向内側に配置されている。
【００２１】
この構成により、スピーカがアンテナに表示面側を覆われ、アンテナが視覚的または触覚的に判別可能に配置されることで、アンテナの近傍が手や指で覆われなくなり、良好な通信特性を確保することができる。
【００２２】
また、本発明の携帯無線機は、前記アンテナ形成領域が、前記主表面における端部に配置されている。
【００２３】
この構成により、さらに良好な通信特性を確保することが可能である。
【発明の効果】
【００２４】
本発明は、筐体を手で把持した状態でコンテンツ視聴を行う場合であっても、通信特性の劣化を防止可能である。
【発明を実施するための最良の形態】
【００２５】
以下、本発明の実施形態における携帯無線機について、図面を参照しながら説明する。
【００２６】
本発明の実施形態にかかる携帯無線機としては、例えば、携帯電話端末、携帯情報端末（ＰＤＡ）、携帯テレビ受信機、通信機能を有する携帯ゲーム機などが考えられる。
【００２７】
（第１の実施形態）
図１は、本発明の第１の実施形態における携帯無線機の一例を示す正面図である。図１に示す携帯無線機１０は、第１筐体１１と第２筐体１２とが連結部１３を介して相対的に回動されることにより携帯状態および伸長状態を選択可能な二つ折りタイプに構成されている。図１の携帯無線機１０として携帯電話端末を想定しているが、他の携帯無線機であってもよい。なお、図１に示す正面図は、後述する第２〜第４の実施形態においても共通である。
【００２８】
第１筐体１１および第２筐体１２は、それぞれ平面視でほぼ矩形状に形成されるとともに、ほぼ同じ形状に形成されている。ここで、携帯状態とは、第１筐体１１および第２筐体１２が互いに積層した状態をいう。
【００２９】
第１筐体１１の表面には、表示部としてのディスプレイ１４が設けられている。また、第２筐体１２の表面には、操作部としてのファンクションキー群１５が設けられ、第２筐体１２の内部には制御部１６が設けられている。
【００３０】
ファンクションキー群１５は、制御部１６を制御する各種のキー１５Ａを有する。ファンクションキー群１５のなかには、選択したもの（例えば、文字等）を決定する決定キー１７が備えられている。
【００３１】
制御部１６は、ディスプレイ１４に、アプリケーションと連動する画像を表示させるものである。また、制御部１６は、スピーカ２３に、アプリケーションと連動する音声（音や音楽など広く含む）を出力させるものである。アプリケーションとしては、アンテナを介して受信したデジタルテレビ放送（ＤＴＶ）の放送信号によりＤＴＶ視聴を行うためのアプリケーションなどがある。なお、図１における制御部１６の箇所は一例であり、他の箇所に設けてもよい。
【００３２】
また、図１では不図示であるが、アンテナはスピーカ２３の近傍に設けられている。また、図１では不図示であるが、アンテナとスピーカ２３を含む表示面上の領域は、所定のカバーで覆われることがある。
【００３３】
連結部１３は、一対の第１連結軸１８と第２連結軸１９とで構成されている。
【００３４】
一対の第１連結軸１８は、第１筐体１１および第２筐体１２の積層方向に対して交差する方向に沿わせた状態で同軸上に一定間隔を置いて設けられている。第１連結軸１８は、第２筐体１２に設けられ、第２筐体１２に対して第１筐体１１を揺動自在に支持する支持軸である。第１連結軸１８を中心として第１筐体１１と第２筐体１２とを相対的に回動することにより、携帯無線機１０を伸長状態から携帯状態に折り畳むことや、携帯状態から伸長状態に伸長することができる。
【００３５】
一対の第１連結軸１８間に第２連結軸１９が設けられている。この第２連結軸１９は、第１連結軸１８に対して直交された状態で設けられている。第２連結軸１９は、一例として第１筐体１１に設けられ、第１筐体１１に対して第２筐体１１を揺動自在に支持する支持軸である。
【００３６】
図１に示すように、伸長状態の第１、第２筐体１１，１２において、第２連結軸１９を中心にして第２筐体１２を矢印ａ、ｂの如く左右方向に回動（揺動）させる動作が可能である。また、伸長状態の第１、第２筐体１１，１２において、第１連結軸１８を中心にして第２筐体１２を矢印ｃ、ｄの如く前後方向に回動（揺動）させる動作が可能である。
【００３７】
図２は、第１筐体１１のディスプレイ１４を視認可能な状態で第１筐体１１と第２筐体１２とが積層されるように、図１の状態から第２連結軸１９を中心にして矢印ａまたは矢印ｂ（図１参照）の方向に１８０度回動された状態（携帯状態）を示す。図２（ａ）はディスプレイ１４が備えられた主表面としての表示面の上面図であり、図２（ｂ）は携帯無線機１０の側面図である。なお、表示面において、ディスプレイ１４が配置される領域を表示領域１ともいう。
【００３８】
図２に示すように、スピーカ２３とアンテナ２０とは近接して配置されている。スピーカ２３とアンテナ２０とを含む領域は所定のカバー２４で覆われている。このカバーの材料としては樹脂などが考えられ、導電性を有していないものである。また、カバー２４は、視覚的または触覚的に判別可能であることが好ましい。例えば、表示面の他の領域と色が異なるなど視覚的に認識可能であるカバーや、表示面の他の領域と異なり粗面加工が施されているなど触覚的に判別可能であるカバーが好ましい。また、網状の形状を有するカバーを用いることで、スピーカ２３から出力される音声の品質を向上させることができる。なお、図２におけるスピーカ２３の配置領域内にスピーカ２３の音孔が含まれている。
【００３９】
このようにスピーカ２３とアンテナ２０とが近接して配置され、これらの周辺領域を所定のカバーで覆うことで、アンテナ２０の近傍が手や指で覆われなくなり、良好な通信特性を確保することができる。
【００４０】
なお、表示面において、スピーカ２３とアンテナ２０とを含む領域をアンテナ形成領域２ともいう。アンテナ形成領域２は、表示領域１を避けて形成される。つまり、アンテナ形成領域２は、表示領域１と表示面におけるいずれかの端部との間に形成される。なお、アンテナ形成領域２において、スピーカ２３およびアンテナ２０が必ずしも表示面上に配置されている必要はなく、平面的に観察した際（図２（ａ）参照）に当該領域内に位置すればよい。つまり、図２（ｂ）における上下方向である第１筐体１１の厚み方向の位置は表示面の位置と異なっていてもよい。
【００４１】
また、アンテナ形成領域２は、表示面における端部に近い程好ましく、特にアンテナ２０が端部に配置されることが好ましい。これにより、さらに良好な通信特性を確保することが可能である。
【００４２】
また、表示面において、表示領域１とアンテナ形成領域２とを避けて把持領域３が形成される。把持領域３は、例えばディスプレイ１４に表示されたＤＴＶの画像を視聴する際に手で携帯無線機１０を把持する際、手を添えることを想定した領域である。これにより、携帯無線機１０を把持するユーザの手や指の位置がアンテナ２０から所望の距離離れるため、良好な通信特性を確保可能である。図２（ａ）では、把持領域３に指２７を配置している状態を示している。
【００４３】
図２では、表示面における長手方向にアンテナ形成領域２と表示領域１と把持領域３とが順に並んで形成されている。この場合、連結部１３側にアンテナ形成領域２が形成されても、連結部１３と反対側にアンテナ形成領域２が形成されてもよい。また、図２とは異なり、図３のように、表示面における短手方向に表示領域１とアンテナ形成領域２とが並んで形成され、表示面の長手方向の両端部側に把持領域３が形成されてもよい。さらに、図２および図３とは異なる状態で表示領域１とアンテナ形成領域２と把持領域３とが形成されていてもよい。
【００４４】
次に、携帯無線機１０における電気的な接続関係について説明する。
図４は携帯無線機１０における電気的な接続関係の一例を示す図である。図４では、電気的な接続関係を考慮しており、実際に各部が配置される位置関係は考慮していない。
【００４５】
第１筐体１１は、第１回路基板２２を内蔵している。第１回路基板２２は、整合部２１、ＬＮＡ（Low Noise Amplifier：低雑音増幅器）２５、受信処理部２６、制御部１６を備えている。なお、図４では、ＬＮＡ２５、受信処理部２６、制御部１６が第１回路基板２２に設けられることを説明するが、第２筐体１２の第２回路基板に設けられてもよい。
【００４６】
整合部２１は、アンテナ２０のインピーダンスとＬＮＡ２５の入力インピーダンスとを整合する機能を有する。
【００４７】
ＬＮＡ２５は、アンテナ２０からの高周波信号を増幅する。高周波信号は、例えばＤＴＶ信号、デジタルラジオ信号などＤＴＶ以外の放送信号、その他外部装置から取得する音声信号や画像信号などである。
【００４８】
受信処理部２６は、ＬＮＡ２５により増幅された信号について受信処理を行う。受信処理では、例えばＤＴＶで使用される周波数帯の信号を増幅信号から選択する同調処理や、同調処理で選択された周波数帯の信号を復調する復調処理等が行われる。
【００４９】
図５はアンテナにより受信された高周波信号の共振周波数とＶＳＷＲ（Voltage Standing Wave Ratio）との関係の一例を示す図である。曲線Ｌ１は、表示面上のアンテナ形成領域２にユーザの指を配置した場合を示している。曲線Ｌ２は、表示面上の把持領域３にユーザの指を配置した場合を示している。周波数ｆ１およびｆ２の間の周波数帯域を所望の周波数帯域とすると、この周波数帯域でＶＳＷＲが所定閾値Ｔａ以下であることが望ましい。曲線Ｌ１およびＬ２より、アンテナ形成領域２に指を配置した場合には所望の通信特性を得ることができず、把持領域３にユーザの指を配置した場合には所望の通信特性を得ることが可能であることが理解できる。
【００５０】
制御部１６は、受信処理部２６により受信処理された例えばＤＴＶ信号から画像信号および音声信号を抽出する。そして、画像信号に基づいてディスプレイ１４に画像を表示させ、音声信号に基づいてスピーカ２３に音声を出力させる。なお、画像信号および音声信号のいずれか一方の信号のみの場合には、画像表示および音声出力のいずれか一方のみが行われる。
【００５１】
このような携帯無線機１０によれば、アンテナ形成領域２を所定のカバー２４で覆うことで、アンテナ２０の近傍が手で覆われなくなり、良好な通信特性を確保することができる。したがって、携帯無線機１０が携帯状態の際に、筐体１１、１２を手で把持してＤＴＶ視聴などのコンテンツ視聴を行う場合であっても、通信特性の劣化を防止可能である。
【００５２】
（第２の実施形態）
本発明の第２の実施形態における携帯無線機１０Ｂは、アンテナ形成領域２を覆う所定のカバー２４ｂが導電性を有している。また、アンテナ２０とカバー２４ｂとの間に、絶縁部材が挿入されている。なお、第１の実施形態の携帯無線機と同様の構成については、同一符号を付し、説明を省略する。
【００５３】
図６は、携帯無線機１０Ｂの携帯状態を示しており、ディスプレイ１４が備えられた表示面の上面図である。
【００５４】
図２と図６との相違点は、カバー２４の代わりにカバー２４ｂを備える点である。カバー２４ｂはアンテナ形成領域２を覆うものである。このカバーの材料としては金属などが考えられ、導電性を有するものである。また、カバー２４ｂは、視覚的または触覚的に判別可能であることが好ましい。例えば、表示面の他の領域と色が異なるなど視覚的に認識可能であるカバーや、表示面の他の領域と異なり粗面加工が施されているなど触覚的に判別可能であるカバーが好ましい。また、網状の形状を有するカバーを用いることで、スピーカ２３から出力される音声の品質を向上させることができる。
【００５５】
このようにアンテナ形成領域２を所定のカバー２４ｂで覆うことで、アンテナ２０の近傍が手や指で覆われなくなり、良好な通信特性を確保することができる。
【００５６】
図７は携帯無線機１０Ｂにおける電気的な接続関係の一例を示す図である。図７では、電気的な接続関係を考慮しており、実際に各部が配置される位置関係は考慮していない。
【００５７】
図４と図７との相違点は、アンテナ２０と導電性カバー２４ｂとの間に絶縁部材２８が配置された点である。絶縁部材２８は、例えばＡＢＳなどのプラスチック材料である。絶縁部材２８を配置しない場合、携帯無線機１０Ｂは導電性カバー２４ｂを用いることで、アンテナ２０と導電性カバー２４ｂが電気的に接続し、所望のＶＳＷＲ特性が得られず、通信特性が劣化してしまうことがある。図７に示すように、アンテナ２０と導電性カバー２４との間を電気的に絶縁することで、アンテナ２０は所望のＶＳＷＲ特性を得ることで、所望の通信特性を確保することが可能となる。
【００５８】
（第３の実施形態）
本発明の第３の実施形態における携帯無線機１０Ｃでは、表示面上のアンテナ形成領域２において、アンテナ２０の配置領域がスピーカ２３の配置領域に含まれている。また、アンテナ２０はスピーカ２３よりも第１筐体１１の厚み方向内側に配置される。なお、第１または第２の実施形態の携帯無線機と同様の構成については、同一符号を付し、説明を省略する。
【００５９】
図８は、携帯無線機１０Ｃの携帯状態を示している。図８（ａ）はディスプレイ１４が備えられた表示面の上面図である。図８（ｂ）は携帯無線機１０Ｄの側面図である。
【００６０】
図８に示すように、表示面の上面から見ると、スピーカ２３の配置領域がアンテナ２０の配置領域に含まれている。これにより、スピーカ２３の周辺を手で覆わないことで、アンテナ２０の近傍が手で覆われなくなり、良好な通信特性を確保することができる。なお、図８（ｂ）における上下方向である第１筐体１１の厚み方向においては、スピーカ２３とアンテナ２０との位置が異なっている。
【００６１】
なお、アンテナ形成領域２は所定のカバーで覆われていなくてもよい。
【００６２】
（第４の実施形態）
本発明の第４の実施形態における携帯無線機１０Ｄは、所定のカバーを備えておらず、アンテナ２０ｄが第１筐体１１の表示面側の外部に露出している。また、アンテナ２０ｄが、スピーカ２３の音孔に対向して配置される。また、スピーカ２３はアンテナ２０ｄよりも第１筐体１１の厚み方向内側に配置される。なお、第１〜第３の実施形態の携帯無線機と同様の構成については、同一符号を付し、説明を省略する。
【００６３】
図９は、携帯無線機１０Ｄの携帯状態を示している。図９（ａ）はディスプレイ１４が備えられた表示面の上面図である。図９（ｂ）は携帯無線機１０Ｄの側面図である。
【００６４】
図９に示すように、スピーカ２３とアンテナ２０ｄとは近接して配置されている。スピーカ２３は、アンテナ２０ｄで覆われている。アンテナ２０ｄは、視覚的または触覚的に判別可能である。例えば、表示面の他の領域と色が異なるなど視覚的に認識可能であるアンテナや、表示面の他の領域と異なり粗面加工が施されているなど触覚的に判別可能であるアンテナが好ましい。したがって、アンテナ２０ｄを表示面における他の領域と区別可能であり、アンテナ形成領域２を手で把持されることを防止可能となるため、アンテナ２０ｄはカバーとしての機能を有する。また、網状の形状を有するアンテナ２０ｄを用いることで、スピーカ２３から出力される音声の品質を向上させることができる。
【００６５】
このように、スピーカ２３がアンテナ２０に表示面側を覆われ、アンテナ２０が視覚的または触覚的に判別可能に配置されることで、アンテナ２０の近傍が手や指で覆われなくなり、良好な通信特性を確保することができる。さらに、新たな部品である所定のカバーを設ける必要がない。
【００６６】
（第５の実施形態）
本発明の第５の実施形態における携帯無線機は、ディスプレイが設けられた第１筐体ではなく、操作部が設けられた第２筐体にアンテナとスピーカを備えており、第２筐体を手で把持してＤＴＶ等のコンテンツ視聴を行うことを想定している。なお、第１〜第４の実施形態の携帯無線機と同様の構成については、同一符号を付し、説明を省略する。
【００６７】
図１０は、本発明の第５の実施形態における携帯無線機の一例を示す斜視図である。図１０に示す携帯無線機１０Ｅは、第２筐体（下筐体）１２ｅと、第２筐体の上側に設けられた第１筐体（上筐体）１１ｅと、第２筐体１２ｅおよび第１筐体１１ｅを縦開き・横開き可能に連結した連結部１３ｅとを備えている。図１０は、携帯無線機１０Ｅを横開き状態を示している。
【００６８】
第２筐体１２ｅは、閉状態の場合に第１筐体１１ｅと対向する表面に操作部１５ｅが設けられている。また、図１０では不図示であるが、第２筐体１２ｅは、アンテナとスピーカとを備えている。また、図１０では不図示であるが、アンテナとスピーカを含む操作面上の領域は、所定のカバーで覆われることがある。
【００６９】
第１筐体１１ｅは、閉状態の場合に第２筐体と対向する表面にディスプレイ１４ｅが設けられている。
【００７０】
連結部１３は、第１回動軸（不図示）および第２回動軸（不図示）を備えている。第１回動軸を中心として第２筐体１２ｅおよび第１筐体１１ｅを縦開きに開くことができ、第２回動軸を中心として第２筐体１２ｅおよび第１筐体１１ｅを横開きに開くことができる。
【００７１】
図１１は、携帯無線機１０Ｅの横開き状態の一例を示す正面図である。図１１では、操作部１５ｅが備えられた操作面が主表面である。本実施形態では、操作面において、操作部１５が配置される領域を操作領域１ｅとしている。
【００７２】
また、操作面において、アンテナ２０ｅとスピーカ２３ｅとを含むアンテナ形成領域２ｅが操作領域１ｅを避けて形成される。つまり、アンテナ形成領域２ｅは、操作領域１ｅと操作面におけるいずれかの端部との間に形成される。なお、アンテナ形成領域２ｅにおいて、スピーカ２３およびアンテナ２０が必ずしも操作面上に配置されている必要はなく、平面的に観察した際（図１１参照）に当該領域内に位置すればよい。つまり、第２筐体１２ｅの厚み方向の位置は操作面の位置と異なっていてもよい。
【００７３】
また、操作面において、操作領域１ｅとアンテナ形成領域２ｅとを避けて把持領域３ｅが形成される。図１１では、把持領域３ｅに指２７ｅを配置している状態を示している。
【００７４】
なお、図１１とは異なる状態で操作領域１ｅとアンテナ形成領域２ｅと把持領域３ｅとが形成されていてもよい。
【００７５】
また、携帯無線機１０Ｅにおける電気的な接続関係は、基本的には図４または図７と同様であるが、アンテナ２０ｅおよびスピーカ２３ｅが配置された第２筐体１２ｅの第２回路基板（不図示）に整合部２１、ＬＮＡ２５、受信処理部２６、制御部１６が配置されることが多い。
【００７６】
なお、本実施形態の携帯無線機と他の実施形態の携帯無線機と相違点は、主表面を操作面とし、表示領域に代わり操作領域が形成されていることが主な点であるので、第２〜第４の実施形態の構成を本実施形態の携帯無線機に適用可能である。
【００７７】
このような携帯無線機１０Ｅによれば、操作面におけるアンテナ形成領域２ｅを所定のカバー２４で覆うことで、アンテナ２０の近傍が手で覆われなくなり、良好な通信特性を確保することができる。したがって、携帯無線機１０Ｅが横開き状態の際に、第２筐体１２ｅを手で把持してＤＴＶ視聴などのコンテンツ視聴を行う場合であっても、通信特性の劣化を防止可能である。
【００７８】
なお、上記の各実施形態では、具体例として信号受信を取り上げたが、信号送信の場合も本発明を適用可能である。また、筐体が１つの携帯無線機の場合も本発明を適用可能である。
【産業上の利用可能性】
【００７９】
本発明は、筐体を手で把持した状態でコンテンツ視聴を行う場合であっても、通信特性の劣化を防止可能な携帯無線機等に有用である。
【図面の簡単な説明】
【００８０】
【図１】本発明の第１の実施形態における携帯無線機の一例を示す正面図
【図２】本発明の第１の実施形態における携帯無線機の携帯状態の一例を示す（ａ）上面図、（ｂ）側面図
【図３】本発明の第１の実施形態における携帯無線機の携帯状態の一例を示す上面図
【図４】本発明の第１の実施形態における携帯無線機の電気的な接続関係の一例を示す図
【図５】本発明の第１の実施形態におけるアンテナにより受信された高周波信号の共振周波数とＶＳＷＲとの関係の一例を示す図
【図６】本発明の第２の実施形態における携帯無線機の携帯状態の一例を示す上面図
【図７】本発明の第２の実施形態における携帯無線機の電気的な接続関係の一例を示す図
【図８】本発明の第３の実施形態における携帯無線機の携帯状態の一例を示す（ａ）上面図、（ｂ）側面図
【図９】本発明の第４の実施形態における携帯無線機の携帯状態の一例を示す（ａ）上面図、（ｂ）側面図
【図１０】本発明の第５の実施形態における携帯無線機の一例を示す斜視図
【図１１】本発明の第５の実施形態における携帯無線機の横開き状態の一例を示す正面図
【符号の説明】
【００８１】
１０、１０Ｅ  携帯無線機
１１、１１ｅ  第１筐体
１２、１２ｅ  第２筐体
１３、１３ｅ  連結部
１４、１４ｅ  ディスプレイ
１５、１５ｅ  操作部
１６  制御部
１７  決定キー
１８  第１連結軸
１９  第２連結軸
２０、２０ｄ、２０ｅ  アンテナ
２１  整合部
２２  第１回路基板
２３、２３ｅ  スピーカ
２４、２４ｅ  カバー
２４ｂ  導電性カバー
２５  ＬＮＡ
２６  受信処理部
【図１】
2010034629.tif 000003
【図２】
2010034629.tif 000004
【図３】
2010034629.tif 000005
【図４】
2010034629.tif 000006
【図５】
2010034629.tif 000007
【図６】
2010034629.tif 000008
【図７】
2010034629.tif 000009
【図８】
2010034629.tif 000010
【図９】
2010034629.tif 000011
【図１０】
2010034629.tif 000012
【図１１】
2010034629.tif 000013